(57)【要約】【課題】使い心地を改善したフットレストの提供。【解決手段】座席に座った際に使用するフットレストであって、足置き部材１１と、足置き部材１１の両端部から足置き部材１１を吊り下げて保持する吊り下げ部材と、使用状態において、足置き部材１１の後方の側面となる位置において幅方向に張架されるかかと保持部材１３と、を備えるフットレスト１。【選択図】図３
0003209331.tif 000002
【実用新案登録請求の範囲】
【請求項１】
座席に座った際に使用するフットレストであって、
足置き部材と、
前記足置き部材の両端部から前記足置き部材を吊り下げて保持する吊り下げ部材と、
使用状態において、前記足置き部材の後方の側面となる位置において幅方向に張架されるかかと保持部材と、
を備えることを特徴とするフットレスト。
【請求項２】
前記足置き部材の両端部の前方側に形成された挿通孔を通って前記足置き部材の下側若しくは内部を摺動可能に配され、前記吊り下げ部材と連結されるつま先側保持部材を備え、
前記かかと保持部材が、前記足置き部材の両端部の後方側に形成されたベルト挿通孔を通って前記吊り下げ部材と連結されるベルト部材によって構成される
ことを特徴とする請求項１に記載のフットレスト。
【請求項３】
前記ベルト部材に、前記ベルト挿通孔の穴径より幅広となる幅広部材が形成されていることを特徴とする請求項２に記載のフットレスト。
【考案の詳細な説明】
【技術分野】
【０００１】
本考案は、飛行機や新幹線等の座席に座った際に使用するフットレストに関する。
【背景技術】
【０００２】
飛行機や新幹線等の前席の背面にひっかける場所（テーブル等）がある座席において使用可能な携帯用のフットレストがある。
特許文献１，２には当該携帯用のフットレストに関する技術が開示されている。
【先行技術文献】
【特許文献】
【０００３】
【特許文献１】実用新案登録第３０８２９５９号公報
【特許文献２】特開２０１４−１１７３０３号公報
【考案の概要】
【考案が解決しようとする課題】
【０００４】
従来のフットレストは、足を置く部材（一般的には、四角形状に形成された足置きマット）の両端部を単に紐で吊るす構成であり、これに足をのせると、左右の足が一方に寄ってしまったり、安定性に欠けたりといった問題があり、使い心地の面で改良の余地があるものであった。
【０００５】
本考案は、上記の点に鑑み、使い心地を改善したフットレストを提供することを目的とする。
【課題を解決するための手段】
【０００６】
（構成１）
座席に座った際に使用するフットレストであって、足置き部材と、前記足置き部材の両端部から前記足置き部材を吊り下げて保持する吊り下げ部材と、使用状態において、前記足置き部材の後方の側面となる位置において幅方向に張架されるかかと保持部材と、を備えることを特徴とするフットレスト。
【０００７】
（構成２）
前記足置き部材の両端部の前方側に形成された挿通孔を通って前記足置き部材の下側若しくは内部を摺動可能に配され、前記吊り下げ部材と連結されるつま先側保持部材を備え、前記かかと保持部材が、前記足置き部材の両端部の後方側に形成されたベルト挿通孔を通って前記吊り下げ部材と連結されるベルト部材によって構成されることを特徴とする構成１に記載のフットレスト。
【０００８】
（構成３）
前記ベルト部材に、前記ベルト挿通孔の穴径より幅広となる幅広部材が形成されていることを特徴とする構成２に記載のフットレスト。
【考案の効果】
【０００９】
本考案のフットレストによれば、足置き部材の後方の側面となる位置において幅方向に張架されるかかと保持部材によって、かかと付近も保持することができ、安定性及び使い心地に優れる。
【図面の簡単な説明】
【００１０】
【図１】本考案に係る実施形態のフットレストを示す斜視図
【図２】実施形態のフットレストの足置き部材の表裏を示す図
【図３】実施形態のフットレストの使用状態を示す図
【考案を実施するための形態】
【００１１】
以下、本考案の実施態様について、図面を参照しながら具体的に説明する。なお、以下の実施態様は、本考案を具体化する際の一形態であって、本考案をその範囲内に限定するものではない。
【００１２】
図１、２は、本考案に係る実施形態のフットレストを示す図であり、図１は使用状態に展開された状態の斜視図、図２（ａ）は足置き部材の表面側（足を置く側）を示す平面図、図２（ｂ）は足置き部材の裏面側を示す平面図である。
【００１３】
フットレスト１は、飛行機や新幹線等の座席に座った際に、前席背面のテーブル等にひっかけて使用し、足をのせて休めるためのものである。
図１、２に示されるように、本実施形態のフットレスト１は、足置きマット（足置き部材）１１と、足置きマット１１の両端部付近にて足置きマット１１を吊り下げて保持する吊り下げベルト１２（吊り下げ部材）と、足裏ベルト１４と、かかとベルト１５と、等を備える。
【００１４】
足置きマット１１は、ポリエステル等によって略矩形に形成され、使用時に上に足をのせるための部材である。足置きマット１１の四隅となる箇所には、足裏ベルト１４を通すための挿通孔が形成される。つま先側（足置きマット１１の両端部の前方側に形成された挿通孔）が挿通孔１１ｆｈ、かかと側（足置きマット１１の両端部の後方側に形成されたベルト挿通孔）がベルト挿通孔１１ｂｈである。また、本実施形態の足置きマット１１には、つま先側の裏面側において、足置きマット１１の内部に足裏ベルト１４を通す挿通孔１１ｆｈ２も形成されている（図２（ｂ）参照）。
【００１５】
足裏ベルト１４は、上述した足置きマット１１に形成された各挿通孔を通って環状に形成されるものであり、以下で説明するように、“つま先側保持部材”及び“かかと保持部材”の両方を構成する。
【００１６】
つま先側においては、図２に示されるように、足裏ベルト１４が、足置きマット１１の挿通孔１１ｆｈを通って足置きマット１１の裏側に配される。即ち、一方の挿通孔１１ｆｈに、足置きマット１１の表側から足裏ベルト１４が通され、足置きマット１１の裏面側を通り、他方の挿通孔１１ｆｈにおいて、足置きマット１１の裏側から足裏ベルト１４が通される構成となる。
また、本実施形態では、足置きマット１１の裏面側に挿通孔１１ｆｈ２が形成されており、ここに足裏ベルト１４を通すことで、足置きマット１１の内部を足裏ベルト１４が通される。
足裏ベルト１４は、挿通孔１１ｆｈ、挿通孔１１ｆｈ２を通されるだけで、足置きマット１１に対する縫製等はされないため、足置きマット１１に対して摺動可能である。
上記により、足裏ベルト１４は、足置きマット１１の裏面側（或いは内部）から、足のつま先側を支える“つま先側保持部材”を構成する。
【００１７】
かかと側においては、図２に示されるように、足裏ベルト（ベルト部材）１４が、足置きマット１１のベルト挿通孔１１ｂｈを通って足置きマット１１の裏側に配される。即ち、一方のベルト挿通孔１１ｂｈに、足置きマット１１の表側から足裏ベルト１４が通され、足置きマット１１の裏面側を通り、他方のベルト挿通孔１１ｂｈにおいて、足置きマット１１の裏側から足裏ベルト１４が通される構成となる。
また、両サイドのベルト挿通孔１１ｂｈの間において、足裏ベルト１４にかかとベルト１５（幅広部材）が縫製等によって取り付けられる。
足裏ベルト１４は、ベルト挿通孔１１ｂｈを通されるだけで、足置きマット１１に対する縫製等はされないため、足置きマット１１に対して摺動可能である。一方、かかとベルト１５は、ベルト挿通孔１１ｂｈより幅広であるため、かかとベルト１５は、ベルト挿通孔１１ｂｈを通ることはできない。なお、かかとベルト１５の長手方向の長さは、両サイドのベルト挿通孔１１ｂｈの間隔と同等か、これよりも短く形成される。
かかとベルト１５（及びベルト挿通孔１１ｂｈの間の足裏ベルト１４）は、その両端側でベルト挿通孔１１ｂｈに通されているだけであるため、図１に示されるように、足置きマット１１の後方側に引き出す（ずらす）ことができる。これにより、図３に示したように、使用時にかかと付近を保持することができるものである。
上記により、足裏ベルト（ベルト部材）１４及びかかとベルト１５は、使用状態において、前記足置き部材の後方の側面となる位置において幅方向に張架されるかかと保持部材１３を構成する。
【００１８】
足裏ベルト１４（即ち、“つま先側保持部材”及び“かかと保持部材”）は、足置きマット１１の両端側で、吊り下げベルト１２と連結される。より具体的には、環状である足裏ベルト１４の、足置きマット１１の両サイドにおいて、連結リング１６によって吊り下げベルト１２と接続される。連結リング１６は足裏ベルト１４を摺動可能に保持する。
吊り下げベルト１２は、長さ調節部材１２１を備えることにより、その長さを調節することができる。
【００１９】
図３は、フットレスト１の使用状態を示した。
前席背面のテーブル等に吊り下げベルト１２をひっかけ、その長さを適宜調節し、かかとベルト１５を足置きマット１１の後方側に引き出す（ずらす）ことで使用状態となる。これに、図３に示されるように足を置くことで、足置きマット１１によって足の裏面側を保持され、且つ、かかとベルト１５によってかかと付近が保持される。このように、Ｌ字状に包み込むように足が保持される。
【００２０】
以上のごとく、本実施形態のフットレスト１によれば、Ｌ字状に包み込むように足が保持されるため、安定性及び使い心地に優れる。
従前の、単に足置きマットの両端部を紐で吊るすものである場合、足置きマットがすぼんでしまうことにより左右の足が寄ってしまい、かえって足にストレスがかかってしまう場合があった。
これに対し、本実施形態のフットレスト１によれば、足置きマット１１の裏面側（或いは内部）から足のつま先側を支える“つま先側保持部材”を有し、且つ、幅広の“かかと保持部材”を有しているため、足置きマットがすぼんでしまうことが抑止され、安定性及び使い心地において非常に優れるものである。即ち、かかとベルト１５がベルト挿通孔１１ｂｈの穴径より幅広であり、ベルト挿通孔１１ｂｈを通らないため、図３等からも理解されるように、足置きマットがすぼんでしまうことが抑止されるものである（巾着袋のひもがひっぱられてすぼむような状態が抑止される）。
また、足がＬ字状に包み込むように保持され、かかとベルト１５も幅広に形成されているため、圧力が分散され、足に加わる負荷が低減される。従って、使い心地において非常に優れているものである。
加えて、本実施形態のフットレスト１によれば、使用時において立体的に足を包み込むようにホールドしてくれるものでありながら、図２に示されるように、収納時には平面的にすることができる。図２の状態においてこれを折りたたむことで非常にコンパクトにすることが可能であり、形態性においても優れている。
【００２１】
本実施形態では、足裏ベルト１４が環状に形成され、これによって“つま先側保持部材”及び“かかと保持部材（ベルト部材）”の両方を構成するものを例としているが、本考案をこれに限るものではなく、“つま先側保持部材”と“かかと保持部材”が、それぞれ別の部材（ベルト等）によって構成されるものであってもよい。
【００２２】
本実施形態では、“つま先側保持部材”としての足裏ベルト１４について、中間部において足置きマット１１の中を通すものを例としているが、全体的に足置きマット１１の中を通すものであっても良いし、足置きマット１１の中を全く通さないものであってもよい。ただし、足置きマット１１の中を全く通さないと、足裏ベルト１４（つま先側保持部材）が足置きマット１１の裏側からずれてしまい、安定性が低下するおそれがあるため、縫製等によって足置きマット１１に固定することが好ましい。
【００２３】
本実施形態では、“かかと保持部材”として、幅広のかかとベルト１５を足裏ベルト（ベルト部材）１４に取り付けるものを例としており、これによれば、上述のごとく安定性及び使い心地に優れるものであるが、幅広のかかとベルト１５を設けずに、足裏ベルト（ベルト部材）１４のみによって“かかと保持部材”とするようなものであっても構わない。幅広のかかとベルト１５を有している方が優れるが、これが無くても、足をＬ字状に保持する機能を有することはできるものである。
また、本実施形態では、“かかと保持部材（足裏ベルト（ベルト部材）１４及びかかとベルト１５）”が、収納状態（図２の状態）において足置きマット１１の裏面側に配されるものを例として説明したが、かかと保持部材が収納状態において足置きマット１１の表面側に配されるものであっても構わない。
【符号の説明】
【００２４】
１．．．フットレスト１
１１．．．足置きマット（足置き部材）
１１ｆｈ．．．挿通孔
１１ｂｈ．．．ベルト挿通孔
１２．．．吊り下げベルト（吊り下げ部材）
１４．．．足裏ベルト（つま先側保持部材、かかと保持部材（ベルト部材））
１５．．．かかとベルト（幅広部材）
【図１】
0003209331.tif 000003
【図２】
0003209331.tif 000004
【図３】
0003209331.tif 000005